(57)【特許請求の範囲】
【請求項１】
上方から給送される印刷用紙に印刷を行って下向きに排紙するプリンタであって、
上部が開放された状態で設けられる、廃インクを貯える廃液タンクと、
排紙される印刷用紙を吸引保持する紙吸引装置と、を備え、
前記紙吸引装置は、フレーム構造体から成るプリンタ本体内部の空間に排気吸引流を形成する排紙吸引ファンを有し、
前記排気吸引流の通り道に、前記廃液タンクの上部が面するよう、前記廃液タンクが配設され、
前記フレーム構造体は、下部フレーム構造体および上部フレーム構造体とからなり、
前記下部フレーム構造体の前面側に、複数の吸引口が設けられた排紙案内プレートが配設され、
前記下部フレーム構造体の後部に、前記排紙吸引ファンが配設され、
前記下部フレーム構造体の内部空間の底部に、前記廃液タンクが配設され、
前記フレーム構造体は、サイドフレームと、プリンタ本体の底部を形成するベースフレームと、メインフレームと、該メインフレームの背面側に下端が結合されるリアフレーム背面部および該リアフレーム背面部からプリンタ本体の前部へ折り曲げられたリアフレーム上部を有するリアフレームとから成り、
前記メインフレームは、前記ベースフレームに下端が結合され、プリンタ本体の背面部を形成するメインフレーム背面部と、該メインフレーム背面部から折り曲げられ、上下の空間を区画するメインフレーム仕切り部と、印刷ヘッドから給紙部までのプリンタ本体の前面側を形成するメインフレーム前面部とを折り曲げ加工された側視クランク形に構成されていることを特徴とするプリンタ。
【請求項２】
前記メインフレーム仕切り部によって区画された上方の空間の前面側には紙案内プレートが配置されると共に、下方の空間の前面側が前記排紙案内プレートで覆われていることを特徴とする請求項１記載のプリンタ。
【請求項３】
前記排紙吸引ファンの吐出し口にフードを設けたことを特徴とする請求項１記載のプリンタ。
【発明の詳細な説明】
【０００１】
【産業上の利用分野】
本発明は、Ａ１判またはＢ１判程度の用紙幅の印刷用紙まで印刷を行うことができるプリンタ、通称大型プリンタに関し、特に、プリンタ本体を上下にボックス空間を配置したフレーム構造体とし、下部ボックス空間に廃液タンクを設けるとともに、該空間内に排紙を吸引するための排気吸引流を形成し、廃液タンクに貯えられた廃インクを乾燥させるようにしたプリンタに関する。
【０００２】
【従来の技術】
大型プリンタでは、プリンタ本体の後方上部に給紙部を配置し、この給紙部からプリンタ前部に向けて斜めの用紙搬送路を経て印刷部へ印刷用紙を給送し、印刷後に排紙部より斜め下方に向けて排紙し、プリンタ下部に設けられた排紙受け装置で受け取る構造が多く採用されている。
この種の大型プリンタは、横幅が大きいプリンタ本体の剛性を高めるため、一般にフレーム構造体となっており、内部にはボックス空間が形成されている。ボックス空間は、制御装置、排紙吸引装置、廃液処理装置などを組込む場所として利用されている。
【０００３】
【発明が解決しようとする課題】
従来のプリンタ本体を構成するフレーム構造体は、大型プリンタの重量バランスが幅方向に不均一になるとフレーム構造体にねじれが生じ易かった。フレーム構造体のねじれは機構部の精度を狂わし、その結果として印刷品質の低下などの問題があった。
本発明の目的は、プリンタ本体を高い剛性を持ったフレーム構造体とし、該フレーム構造体が作るボックス空間を排紙吸引流の通風路として利用し、この排紙吸引流により廃液タンクに貯えられ廃インクの乾燥を促進させるようにしたプリンタを提供することにある。
【０００４】
【課題を解決するための手段】
請求項１の発明は、上方から給送される印刷用紙に印刷を行って下向きに排紙するプリンタであって、上部が開放された状態で設けられる、廃インクを貯える廃液タンクと、排紙される印刷用紙を吸引保持する紙吸引装置と、を備え、前記紙吸引装置は、フレーム構造体から成るプリンタ本体内部の空間に排気吸引流を形成する排紙吸引ファンを有し、前記排気吸引流の通り道に、前記廃液タンクの上部が面するよう、前記廃液タンクが配設され、前記フレーム構造体は、下部フレーム構造体および上部フレーム構造体とからなり、前記下部フレーム構造体の前面側に、複数の吸引口が設けられた排紙案内プレートが配設され、前記下部フレーム構造体の後部に、前記排紙吸引ファンが配設され、前記下部フレーム構造体の内部空間の底部に、前記廃液タンクが配設され、前記フレーム構造体は、サイドフレームと、プリンタ本体の底部を形成するベースフレームと、メインフレームと、該メインフレームの背面側に下端が結合されるリアフレーム背面部および該リアフレーム背面部からプリンタ本体の前部へ折り曲げられたリアフレーム上部を有するリアフレームとから成り、前記メインフレームは、前記ベースフレームに下端が結合され、プリンタ本体の背面部を形成するメインフレーム背面部と、該メインフレーム背面部から折り曲げられ、上下の空間を区画するメインフレーム仕切り部と、印刷ヘッドから給紙部までのプリンタ本体の前面側を形成するメインフレーム前面部とを折り曲げ加工された側視クランク形に構成されていることを特徴とする。請求項１の発明によれば、内部に空間を形成したフレーム構造体によりプリンタ本体を構成することで、プリンタの幅方向のねじれ剛性を高めると共に、内部空間を流れる排気吸引流によって廃液タンクの廃インクの乾燥が促進され、排気吸引流の有効利用が図れる。廃インクを乾燥させるための装置が不要となり、構成が簡素化され、コスト低減が図れる。
【０００５】
また、フレーム構造体は、下部フレーム構造体および上部フレーム構造体とからなり、前記下部フレーム構造体の前面側に、複数の吸引口が設けられた排紙案内プレートが配設され、前記下部フレーム構造体の後部に、前記排紙吸引ファンが配設され、前記下部フレーム構造体の内部空間の底部に、前記廃液タンクが配設されていることから、フレーム構造体を上下の２段に構成することで、プリンタ本体の剛性がより高められる。
【０００６】
また、フレーム構造体は、サイドフレームと、プリンタ本体の底部を形成するベースフレームと、メインフレームと、該メインフレームの背面側に下端が結合されるリアフレーム背面部および該リアフレーム背面部からプリンタ本体の前部へ折り曲げられたリアフレーム上部を有するリアフレームとから成り、メインフレームは、ベースフレームに下端が結合され、プリンタ本体の背面部を形成するメインフレーム背面部と、該メインフレーム背面部から折り曲げられ、上下のボックス空間を区画するメインフレーム仕切り部と、印刷ヘッドから給紙部までのプリンタ本体の前面側を形成するメインフレーム前面部とを折り曲げ加工された側視クランク形に構成されているので、上下のボックス空間を区画する部材およびプリンタ本体の上部を形成する部材を側視クランク形のメインフレームおよび側視逆Ｌ形のリアフレームにて構成することで、部品の数を少なくし、組立て工数を減らすと共に、より高い剛性が得られる。
【０００７】
請求項２の発明は、請求項１の発明において、メインフレーム仕切り部によって区画された上方の空間の前面側には紙案内プレートが配置されると共に、下方の空間の前面側が前記排紙案内プレートで覆われていることを特徴とする。請求項２の発明によれば、下方の空間に強い排気吸引流を生じさせる為に閉ざす必要があるが、前記下方の空間の前側開放部分を排紙案内プレートを利用して閉ざすことで構成が簡素化される。
【０００８】
請求項３の発明は、請求項１の発明において、排紙吸引ファンの吐出し口にフードを設けたことを特徴とする。請求項３の発明によれば、排紙案内プレートの用紙搬送面に幅方向に均一な紙吸引力を発生させるために排気量の大きな排紙吸引ファンを使用するとき、排気音の大きさに応じて騒音レベルも高くなるが、吐出し口を囲うようにしてフードを設けることで騒音レベルが大きくならず、静音化される。
【０００９】
【発明の実施の形態】
本発明の実施例について図面を参照しながら説明する。図１は本発明に係るプリンタの斜視図、図２は本発明に係るプリンタにおけるプリンタ本体の正面図、図３は図２のＩ−Ｉ断面図である。
【００１０】
プリンタ１は、Ａ１またはＢ１判サイズの印刷用紙まで印刷可能に構成されており、給紙部２、印刷部３および排紙部４が組み込まれたプリンタ本体と、脚装置５と、排紙受け装置６とを備えている。
給紙部２は、プリンタ１の後方上部に突き出るように設けられており、その内部にはロール紙（印刷用紙）２１がセットされ、このロール紙２１を覆うようにロール紙カバー２２が開閉自在に取り付けられている。
【００１１】
印刷部３は、キャリッジ３２、キャリッジ３２に搭載された印刷ヘッド３３、印刷用紙を副走査方向に搬送する紙送りローラ３４と従動ローラ３５、印刷ヘッド３３へのインク供給装置、印刷用紙の浮き上がり防止する紙吸引装置、印刷を実行する為の制御装置等を備え、給紙部２から給送された印刷用紙を副走査方向に搬送しながら印刷を行う。印刷部２の前面には、インクカートリッジ・ケース３０が配置されており、印刷ヘッド３３に供給されるインクを貯えたインクカートリッジ３１が収納されている。
【００１２】
印刷部３で印刷された印刷用紙は、排紙部４を経由して、プリンタ１の前方斜め下方に向けて排紙される。印刷部３と排紙部４の間には、ロール紙２１を切断するためのカッタ（図示省略）が設けられており、印刷終了後にカッタにより印刷用紙が切断され、排紙受け装置６に受け取られる。
脚装置５は、プリンタ１を支持する支持脚５０と、プリンタ１をテーブル上に載せて使用する為に、プリンタ本体のベースフレーム１１に設けられた脚部５１とからなっている。支持脚５０の内側には、排紙部４から排紙される印刷用紙を受け取る排紙受け装置６が配置されている。
【００１３】
プリンタ本体は、図３に示すようにベースフレーム１１、メインフレーム１２、リアフレーム１３および両サイドフレーム１４によって内部空間を形成するボックス構造体になっている。メインフレーム１２は、底部を構成するベースフレーム１１に下端が結合されるメインフレーム背面部１２ａ、メインフレーム背面部１２ａから内部を上下に区画するメインフレーム仕切り部１２ｂ、メインフレーム仕切り部１２ｂから給紙部２に向けて傾斜したメインフレーム前面部１２ｃとを折り曲げ加工により側視クランク形に製作されている。
【００１４】
メインフレーム１２の上方には、給紙部２との間を仕切るリアフレーム１３のリアフレーム上部１３ａが配置され、このリアフレーム上部１３ａのフレーム端がメインフレーム前面部１２ｃの上端に連結されている。リアフレーム１３は、リアフレーム上部１３ａとリアフレーム背面部１３ｂを側視逆Ｌ形に折り曲げ加工されており、リアフレーム背面部１３ｂの下端はメインフレーム１２の背面側に連結されている。
【００１５】
メインフレーム仕切り部１２ｂは、プリンタ本体の前部へ斜め上方に伸びており、その端部はプレート１８に達している。メインフレーム前面部を含むプリンタ本体の前側は、給紙部２から排紙部４に向けて傾斜している。プレート１８は、用紙搬送面に対して凹部となる形状に構成され、その両端はサイドフレーム１４に固定されている。プレート１８には、印刷ヘッド３３に対峙してプラテン３６が配設されている。
【００１６】
各フレーム１１〜１４で囲われたボックス空間は、上下にボックス空間Ａとボックス空間Ｂの２段構造になっており、ボックス空間Ａの前側には給紙部２から給送される印刷用紙を印刷部３に案内する紙案内プレート１５が配置されている。またボックス空間Ｂの開放部分は、排紙案内プレート１６により塞がれている。ボックス空間Ａは、メインフレーム仕切り部１２ｂとメインフレーム前面部１２ｃ、リアフレーム１３、サイドフレーム１４からなる上部フレーム構造体により構成され、制御装置を構成する制御基板３７が組み込まれている。一方、ボックス空間Ｂは、ベースフレーム１１、メインフレーム背面部１２ａとメインフレーム仕切り部１２ｂ、サイドフレーム１４からなる下部フレーム構造体により構成され、廃液タンク６０および紙吸引装置を構成する排紙吸引ファン７０が組み込まれている。
【００１７】
廃液タンク６０は、タンク上部がボックス空間Ｂに開放され、そのタンク内には廃インク吸収材６１が収容されており、キャリッジ３２から送られる廃インクを吸収材６１にしみ込ませて貯える。
紙吸引装置は、図２に示した如く、給紙ローラ３４から排紙ローラ４０の用紙搬送領域における排紙案内プレート１６に印刷用紙の幅方向に一列複数個の吸引口７１が複数列に設けられている。排紙吸引ファン７０が運転されると吸引口７１からボックス空間Ｂへの空気吸引流７２によって印刷用紙を用紙搬送面に吸引し、浮き上がりを防止すると共に、廃液タンク６０内の廃インクの乾燥を促進させる。排紙吸引ファン７０の吐出し側のメインフレーム背面部１２ａには、排気を機外に放出するための通風孔が穿設され、その通風孔を囲うようにしてフード７３が取り付けられており、このフード７３は排気による騒音レベルを低減させる。
【００１８】
【発明の効果】
本発明によれば、廃液タンクの廃インクの乾燥をフレーム構造体で形成されたボックス空間を流れる排気吸引流を利用することで、廃インクを乾燥させるための装置が不要となり、構成が簡素化され、コスト低減が図れる。
また、プリンタ本体を複数のボックス空間を有するフレーム構造体により構成することで、プリンタの幅方向のねじれ剛性が高められ、プリンタのねじれによって引き起こす不具合を解消することができる。
【図面の簡単な説明】
【図１】本発明に係るプリンタの斜視図である。
【図２】本発明に係るプリンタにおけるプリンタ本体の正面図である。
【図３】図２のＩ−Ｉ断面図である。
【符号の説明】
１    プリンタ
２    給紙部
３    印刷部
４    排紙部
５    脚装置
６    排紙受け装置
１０  プリンタ本体
１１  ベースフレーム
１２  メインフレーム
１３  リアフレーム
１４  サイドフレーム
１５  紙案内プレート
１６  排紙案内プレート
３４  給紙ローラ
３７  制御基板
４０  排紙ローラ
６０  廃液タンク
７０  排紙吸引ファン
７１  吸引口
７３  フード
【図１】
0003807478.tif 000002
【図２】
0003807478.tif 000003
【図３】
0003807478.tif 000004